(57)【要約】【課題】  高圧カットアウトヒューズ筒が収納されていることが確認でき、かつ、収納した高圧カットアウトヒューズ筒が取り出しやすい高圧カットアウトヒューズ筒収納具を提供する。【解決手段】  高圧カットアウトヒューズ筒収納具１は、吊り下げ用の孔２ｃ、２ｄを備える収納具本体２と、収納具本体２の両面に設けられた複数の収納部３Ａ、３Ｂ、３Ｃ、３Ｄと、ベルト４Ａ、４Ｂとを備える。収納部３Ａ、３Ｂ、３Ｃ、３Ｄには、高圧カットアウトヒューズ筒の一端側が上方から軸方向に沿って１本ずつ挿入される。ベルト４Ａ、４Ｂは、高圧カットアウトヒューズ筒の他端側を押さえて、収納部３Ａ、３Ｂ、３Ｃ、３Ｄから抜け落ちるのを防ぐ。【選択図】  図１
2019212499.tif 000002
【特許請求の範囲】
【請求項１】
内部に高圧ヒューズを収容した円筒形状の高圧カットアウトヒューズ筒を収納する高圧カットアウトヒューズ筒収納具であって、
吊り下げ用の孔が設けられた収納具本体と、
前記収納具本体に設けられ、前記高圧カットアウトヒューズ筒の一端側が上方から軸方向に沿って１本ずつ挿入される複数の収納部と、
を備えることを特徴とする高圧カットアウトヒューズ筒収納具。
【請求項２】
前記収納部の上方には、前記収納部に挿入された前記高圧カットアウトヒューズ筒の他端側を押さえるベルトが設けられている、
ことを特徴とする請求項１に記載の高圧カットアウトヒューズ筒収納具。
【請求項３】
前記高圧カットアウトヒューズ筒は、前記高圧ヒューズを収容する円筒形状の筒本体と、前記筒本体の外周面から径方向に突出するように設けられた一対の接触刃と、を備えており、
前記収納部は、前記接触刃が挿入可能なスリットを備える、
ことを特徴とする請求項１に記載の高圧カットアウトヒューズ筒収納具。
【請求項４】
前記収納部には、収納した前記高圧カットアウトヒューズ筒が取り付けられる電気の相が表記されている、
ことを特徴とする請求項１ないし３のいずれか１項に記載の高圧カットアウトヒューズ筒収納具。
【発明の詳細な説明】
【技術分野】
【０００１】
この発明は、高圧カットアウトに取り付けられる高圧カットアウトヒューズ筒の収納具に関する。
【背景技術】
【０００２】
高圧架空配電線路に配置されている柱上変圧器の高圧側には、開閉器として高圧カットアウトがＡ相、Ｂ相及びＣ相の各高圧引下線に設置されている。この高圧カットアウトは、内蔵する高圧ヒューズにより過負荷、内部短絡の場合に自動的に高圧配電線から変圧器を切り離す機能を備えている。高圧ヒューズは、高圧カットアウトヒューズ筒（以下、ヒューズ筒という）に収容され、このヒューズ筒が高圧カットアウトへ装着されている。
【０００３】
高圧カットアウトには、外殻が高圧磁器で箱状に形成された箱型高圧カットアウトと、外殻が高圧磁器で円筒形状に形成された円筒型高圧カットアウトとがある。これらの高圧カットアウトに使用されるヒューズ筒は、形状が異なっている。
【０００４】
図５（Ａ）、（Ｂ）は、箱型高圧カットアウトに使用されるヒューズ筒１０の平面図及び側面図を示している。このヒューズ筒１０は、絶縁体で形成された円筒形状の筒本体１１と、この筒本体１１の外周面から径方向に突出するように設けられた一対の接触刃１２、１３と、を備えている。筒本体内１１には、高圧ヒューズ１４が収容されており、この高圧ヒューズ１４の両端子が一対の接触刃１２、１３のそれぞれに電気的に接続されている。一対の接触刃１２、１３は、厚さが数ミリ程度の金属板からなり、筒本体１１の軸方向において同一平面上に配置されている。このヒューズ筒１０が箱型高圧カットアウトにセットされると、一対の接触刃１２、１３が箱型高圧カットアウトに電気的に接続され、内蔵する高圧ヒューズ１４が柱上変圧器に接続される。
【０００５】
図６（Ａ）、（Ｂ）は、円筒型高圧カットアウトに使用されるヒューズ筒２０の平面図及び側面図を示している。このヒューズ筒２０は、絶縁体で形成された円筒形状の筒本体２１と、この筒本体２１の先端側に設けられた金属製の先端端子２２と、筒本体２１の基端側に設けられた金属製の可動筒２３と、を備えている。筒本体２１内には、高圧ヒューズ１４が収容されており、この高圧ヒューズ１４の両端子が先端端子２２と可動筒２３とにそれぞれに電気的に接続されている。このヒューズ筒２０が円筒型高圧カットアウトにセットされると、先端端子２２と可動筒２３とが円筒型高圧カットアウトに電気的に接続され、内蔵する高圧ヒューズ１４が柱上変圧器に接続される。
【０００６】
従来、柱状変圧器の吊り替え作業や事故点探査などの作業において、高圧カットアウトからヒューズ筒１０、２０を取り外したり、高圧ヒューズ筒１０、２０を交換したりする作業では、バケツ型の工具袋（例えば、特許文献１参照）やホットスティックの収納袋、各作業員が身に付けた安全帯の腰袋などに、取り外したヒューズ筒１０、２０や、交換用のヒューズ筒１０、２０などを収容している。
【先行技術文献】
【特許文献】
【０００７】
【特許文献１】特開２００８−１７４２７１号公報
【発明の概要】
【発明が解決しようとする課題】
【０００８】
しかしながら、工具袋やホットスティックの収納袋、腰袋などにヒューズ筒１０、２０を収納した場合、これらの袋の外からはヒューズ筒１０、２０の有無が確認できないので、ヒューズ筒１０、２０が収納されているかが迅速に確認できず、探すのに時間がかかる場合があった。また、作業者の腰袋にヒューズ筒１０、２０を収納した場合、その作業者が腰袋を持ったまま現場を離れてしまうと、送電が行えなくなってしまう。
【０００９】
さらに、バケツ型の工具袋にヒューズ筒１０、２０を収納した場合、他の工具や機材と混同するため取り出しにくく、機材の接触によりヒューズ筒１０、２０が損傷する恐れがある。また、工具袋自体が大きいため、取り扱いが煩雑になってしまう。また、工具袋内に複数のヒューズ筒１０、２０を収納した場合、どのヒューズ筒１０、２０がどの相に取り付けられるのかが区別できなくなるので、取り付けられる相や高圧ヒューズ１４の容量などをペンで記入しなければならなかった。この記入を行っていなかった場合には、ヒューズ筒１０、２０の蓋を開けて収容している高圧ヒューズ１４の容量を確認する必要があり、作業が煩雑になっていた。
【００１０】
そこでこの発明は、高圧カットアウトヒューズ筒が収納されていることが確認でき、かつ、収納した高圧カットアウトヒューズ筒が取り出しやすい高圧カットアウトヒューズ筒収納具を提供することを目的とする。
【課題を解決するための手段】
【００１１】
上記課題を解決するために、請求項１の発明は、内部に高圧ヒューズを収容した円筒形状の高圧カットアウトヒューズ筒を収納する高圧カットアウトヒューズ筒収納具であって、吊り下げ用の孔が設けられた収納具本体と、前記収納具本体に設けられ、前記高圧カットアウトヒューズ筒の一端側が上方から軸方向に沿って１本ずつ挿入される複数の収納部と、を備えることを特徴とする。
【００１２】
請求項２の発明は、請求項１に記載の高圧カットアウトヒューズ筒収納具であって、前記収納部の上方には、前記収納部に挿入された前記高圧カットアウトヒューズ筒の他端側を押さえるベルトが設けられている、ことを特徴とする。
【００１３】
請求項３の発明は、請求項１に記載の高圧カットアウトヒューズ筒収納具であって、前記高圧カットアウトヒューズ筒は、前記高圧ヒューズを収容する円筒形状の筒本体と、前記筒本体の外周面から径方向に突出するように設けられた一対の接触刃と、を備えており、前記収納部は、前記接触刃が挿入可能なスリットを備える、ことを特徴とする。
【００１４】
請求項４の発明は、請求項１ないし３のいずれか１項に記載の高圧カットアウトヒューズ筒収納具であって、前記収納部には、収納した前記高圧カットアウトヒューズ筒が取り付けられる電気の相が表記されている、ことを特徴とする。
【発明の効果】
【００１５】
請求項１の発明によれば、高圧カットアウトヒューズ筒の一端側が上方から軸方向に沿って１本ずつ挿入される複数の収納部を備えるので、高圧カットアウトヒューズ筒の他端側を視認することにより、高圧カットアウトヒューズ筒が収納されているか否かが容易に確認することが可能である。また、収納部には、高圧カットアウトヒューズ筒が１本ずつ収納されるので、他の工具や他のヒューズ筒と引っ掛かることなどがなく、収納及び取り出しを容易かつ迅速に行うことができる。さらに、収納具本体に、吊り下げ用の孔を備えているので、収納具を作業しやすい位置に吊り下げて利用することが可能である。
【００１６】
請求項２の発明によれば、収納部の上方に、収納部に挿入された高圧カットアウトヒューズ筒の他端側を押さえるベルトを設けているので、収納部から高圧カットアウトヒューズ筒が抜け落ちるのを防ぐことが可能である。また、例えば、高圧カットアウトヒューズ筒が、高圧ヒューズを収容する円筒形状の筒本体と、筒本体の外周面から径方向に突出するように設けられた一対の接触刃とを備える箱型高圧カットアウト用のヒューズ筒である場合、一対の接触刃が設けられていない一端側を収納部に挿入し、一対の接触刃が設けられている他端側をベルトで押さえることで、安定して収納することが可能となる。
【００１７】
請求項３の発明によれば、収納部に高圧カットアウトヒューズ筒の接触刃が挿入可能なスリットを設けたので、円筒型高圧カットアウト用のヒューズ筒だけでなく、箱型高圧カットアウト用のヒューズ筒も収容することが可能である。
【００１８】
請求項４の発明によれば、収納部に、収納した高圧カットアウトヒューズ筒が取り付けられる電気の相を表記したので、どの高圧カットアウトヒューズ筒がどの相に取り付けられるかが確実に確認することができる。これにより、従来のように、取り付けられる相をペンで記入したり、ヒューズ筒の蓋を開けて高圧ヒューズの容量を確認したりする必要がなくなるので、作業性が大幅に向上する。また、容量の異なるヒューズ筒が誤った相に取り付けられるのを防ぐことが可能である。
【図面の簡単な説明】
【００１９】
【図１】この発明の実施の形態１に係る高圧カットアウトヒューズ筒収納具の概略構成を示し、（Ａ）は正面図、（Ｂ）は平面図、（Ｃ）は背面図、（Ｄ）は（Ａ）のＡ−Ａ断面を示す。
【図２】図１の高圧カットアウトヒューズ筒収納具に箱型高圧カットアウトヒューズ筒を収納して吊り下げている状態を示す説明図である。
【図３】図１の高圧カットアウトヒューズ筒収納具に円筒型高圧カットアウトヒューズ筒を収納して吊り下げている状態を示す説明図である。
【図４】この発明の実施の形態２に係る高圧カットアウトヒューズ筒収納具の概略構成を示し、（Ａ）は正面図、（Ｂ）は平面図を示す。
【図５】従来の箱型高圧カットアウトヒューズ筒の概略構成を示し、（Ａ）は平面図、（Ｂ）は側面図を示す。
【図６】従来の円筒型高圧カットアウトヒューズ筒の概略構成を示し、（Ａ）は平面図、（Ｂ）は側面図を示す。
【発明を実施するための形態】
【００２０】
以下、この発明を図示の実施の形態に基づいて説明する。
【００２１】
（実施の形態１）
図１〜図３は、この発明の実施の形態を示し、図１（Ａ）は、高圧カットアウトヒューズ筒収納具（以下、収納具という）１の正面図を示し、同図（Ｂ）、（Ｃ）は、収納具１の平面図及び背面図を示し、同図（Ｄ）は、同図（Ａ）のＡ−Ａ断面を示している。
【００２２】
収納具１は、吊り下げ用の孔が設けられた収納具本体２と、収納具本体２に設けられ、ヒューズ筒１０または２０の一端側が上方から軸方向に沿って１本ずつ挿入される複数の収納部３Ａ、３Ｂ、３Ｃ、３Ｄと、収納部３Ａ、３Ｂ、３Ｃ、３Ｄの上方に設けられ、収納部３Ａ、３Ｂ、３Ｃ、３Ｄに挿入されたヒューズ筒１０または２０の他端側を押さえるベルト４Ａ、４Ｂと、を備えている。
【００２３】
収納具本体２は、帆布や皮革、合成皮革、プラスチックシートなどの比較的高い強度を有する布状の材質（布材）で形成されている。収納具本体２は、例えば、矩形状の布材を縦方向で二つ折りし、重ね合わされた自由端側の両側辺２ａと、底辺２ｂとを縫い合わせることにより、長方形状に形成されている。
【００２４】
収納具本体２の上部には、幅方向の中央部分に設けられた吊り下げ用の中央孔２ｃと、二つ折りされた側の側辺に設けられた吊り下げ用の側辺孔２ｄとを備えている。これら２つの孔２ｃ、２ｄは、図２、図３に示すように、フックＦなどを利用して収納具１を吊り下げる際に利用され、吊り下げ位置や、フックＦの形状、サイズなどに応じて選択的に使用される。なお、収納具本体２の上辺を縫い合わせていないのは、側辺に吊り下げ用の側辺孔２ｄを設けるためである。
【００２５】
複数の収納部３Ａ、３Ｂ、３Ｃ、３Ｄは、収納具本体２の両面に左右方向に並んで２個ずつ、計４個が設けられている。収納部３Ａ、３Ｂ、３Ｃ、３Ｄは、収納具本体２と同じ材質の布材により、上面が開口された有底の略円筒形状に形成されており、例えば、収納具本体２に縫い付けられている。
【００２６】
これらの収納部３Ａ、３Ｂ、３Ｃ、３Ｄには、図２に示すように、箱型高圧カットアウト用のヒューズ筒１０の他、図３に示すように、円筒型高圧カットアウト用のヒューズ筒２０の一端側が上方から軸方向に沿って１本ずつ挿入される。箱型高圧カットアウト用のヒューズ筒１０は、図示するように、接触刃１２、１３が設けられていない側の一端側が収納部３Ａ、３Ｂ、３Ｃ、３Ｄに挿入される。
【００２７】
収納部３Ａ、３Ｂ、３Ｃ、３Ｄの深さは、上部の縁が接触刃１２、１３に干渉しないように設定されている。したがって、収納具１は、箱型高圧カットアウト用のヒューズ筒１０と、円筒型高圧カットアウト用のヒューズ筒２０とに兼用することが可能である。
【００２８】
各収納部３Ａ、３Ｂ、３Ｃ、３Ｄには、高圧引下線のＡ相、Ｂ相及びＣ相に対応して、「Ａ」、「Ｂ」、「Ｃ」の相が表記されている。なお、「Ｄ」と表記されている収納部３Ｄには、試送用高圧限流ヒューズ（図示せず）が挿入される。この試送用高圧限流ヒューズは、過負荷、内部短絡などの試験を行うための試験用ヒューズ筒であり、箱型高圧カットアウト用のヒューズ筒１０、または円筒型高圧カットアウト用のヒューズ筒２０と同様の外観形状をしている。試送用高圧限流ヒューズ内には、過負荷、内部短絡が発生している場合に、端部から指標を突出させる回路及び機構を内蔵している。この試送用高圧限流ヒューズは、柱状変圧器の吊り替え作業や事故点探査などの作業において、高圧カットアウトからヒューズ筒１０または２０を取り外したり、高圧ヒューズ筒１０または２０を交換したりする場合に、柱上に持ち運ばれて使用されるため、ヒューズ筒１０または２０と一緒に収納具１に収納しておくことが望ましい。
【００２９】
収納部本体２の上部には、収納部３Ａ、３Ｂ、３Ｃ、３Ｄに挿入されたヒューズ筒１０または２０の他端側を押さえるベルト４Ａ、４Ｂが設けられている。このベルト４Ａ、４Ｂは、収納具本体２及び収納部３Ａ、３Ｂ、３Ｃ、３Ｄと同じ材質の布材で細長い帯状に形成されており、中央部分が収納部本体２に縫い付けられ、両端は面ファスナ４Ｃによって収納具本体２に係止可能となっている。収納部３Ａ、３Ｂ、３Ｃ、３Ｄは、箱型高圧カットアウト用のヒューズ筒１０が挿入できるように比較的浅く設けられているので、このベルト４Ａ、４Ｂで押さえることで、ヒューズ筒１０または２０が収納部３Ａ、３Ｂ、３Ｃ、３Ｄから抜け落ちるのを防ぐことが可能である。
【００３０】
次に、このような構成の収納具１の作用について説明する。柱状変圧器の吊り替え作業や事故点探査などの作業において、高圧カットアウトからヒューズ筒１０または２０を取り外したり、高圧ヒューズ筒１０または２０を交換したりする作業を行う際に、収納具１が電柱の上まで持ち運ばれる。なお、柱上で試送用高圧限流ヒューズを使用する場合には、収納部３Ｄに試送用高圧限流ヒューズが挿入される。
【００３１】
柱上に運ばれた収納部１は、中央孔２ｃまたは側辺孔２ｄを利用して、フックＦにより柱上の腕金などに吊り下げられる。そして、Ａ相、Ｂ相、Ｃ相の箱型高圧カットアウトから取り外されたヒューズ筒１０または２０は、同じ相が表記された収納部３Ａ、３Ｂ、３Ｃに一端側から軸方向に沿って１本ずつ挿入され、ベルト４Ａ、４Ｂで押さえられる。
【００３２】
いったん取り外したヒューズ筒１０または２０を再び高圧カットアウトにセットする場合には、その高圧カットアウトの相に応じて、対応する収納部３Ａ、３Ｂ、３Ｃからヒューズ筒１０または２０が取り出されてセットされる。
【００３３】
この実施の形態によれば、ヒューズ筒１０または２０の一端側が上方から軸方向に沿って１本ずつ挿入される複数の収納部３Ａ、３Ｂ、３Ｃ、３Ｄを備えるので、ヒューズ筒１０または２０の他端側を視認することにより、ヒューズ筒１０または２０が収納されているか否かが容易に確認することが可能である。また、収納部３Ａ、３Ｂ、３Ｃ、３Ｄには、ヒューズ筒１０または２０が１本ずつ収納されるので、他の工具や他のヒューズ筒と引っ掛かることなどがなく、収納及び取り出しを容易かつ迅速に行うことができる。さらに、収納具本体２に、吊り下げ用の孔２ｃ、２ｄを備えているので、収納具１を作業しやすい位置に吊り下げて利用することが可能である。
【００３４】
また、収納部３Ａ、３Ｂ、３Ｃ、３Ｄの上方に、ヒューズ筒１０または２０の他端側を押さえるベルト４Ａ、４Ｂを設けているので、収納部３Ａ、３Ｂ、３Ｃ、３Ｄからヒューズ筒１０または２０が抜け落ちるのを防ぐことが可能である。また、例えば、ヒューズ筒１０または２０が、箱型高圧カットアウト用のヒューズ筒１０である場合、一対の接触刃１２、１３が設けられていない一端側を収納部３Ａ、３Ｂ、３Ｃ、３Ｄに挿入し、一対の接触刃１２、１３が設けられている他端側をベルト４Ａ、４Ｂで押さえることで、安定して収納することが可能となる。
【００３５】
さらに、収納部３Ａ、３Ｂ、３Ｃ、３Ｄに、収納したヒューズ筒１０または２０が取り付けられる電気の相を表記したので、どのヒューズ筒１０または２０がどの相に取り付けられるかを確実に確認することができる。これにより、従来のように、取り付けられる相をペンで記入したり、ヒューズ筒１０または２０の蓋を開けて高圧ヒューズ１４の容量を確認したりする必要がなくなるので、作業性が大幅に向上する。また、容量の異なるヒューズ筒が誤った相に取り付けられるのを防ぐことが可能である。
【００３６】
（実施の形態２）
図４（Ａ）、（Ｂ）は、この実施の形態に係る高圧カットアウトヒューズ筒収納具（以下、収納具という）１Ａの正面図および平面図を示している。この実施の形態では、ベルト４Ａ、４Ｂを使用せずに箱型高圧カットアウト用のヒューズ筒１０を収納可能にしている点で実施の形態１と構成が異なり、実施の形態１と同等の構成については、同一符号を付することでその説明を省略する。
【００３７】
収納具１Ａの収納部３Ａ１、３Ｂ１、３Ｃ１、３Ｄ１は、実施の形態１の収納部３Ａ、３Ｂ、３Ｃ、３Ｄよりも収納深さを深くすることにより、ベルト４Ａ、４Ｂを不要にしている。その代わりに、収納部３Ａ１、３Ｂ１、３Ｃ１、３Ｄ１にヒューズ筒１０の接触刃１２、１３が挿入可能なスリット５Ａ、５Ｂ、５Ｃ、５Ｄを設けることにより、箱型高圧カットアウト用のヒューズ筒１０と、円筒型高圧カットアウト用のヒューズ筒２０とに兼用できるようにしている。スリット５Ａ、５Ｂ、５Ｃ、５Ｄは、布材のほつれ等によって破けてしまうのを防ぐために、縁が縫製されて補強されている。
【００３８】
この収納具１Ａによれば、収納部３Ａ１、３Ｂ１、３Ｃ１、３Ｄ１に箱型高圧カットアウトヒューズ筒１０の接触刃１２、１３が挿入可能なスリット５Ａ、５Ｂ、５Ｃ、５Ｄを設けたので、円筒型高圧カットアウト用のヒューズ筒１０だけでなく、箱型高圧カットアウト用のヒューズ筒２０にも兼用することが可能である。
【００３９】
以上、この発明の実施の形態について説明したが、具体的な構成は、上記の実施の形態に限られるものではなく、この発明の要旨を逸脱しない範囲の設計の変更等があっても、この発明に含まれる。
【００４０】
例えば、上記の実施の形態１では、収納部３Ａ、３Ｂ、３Ｃ、３Ｄに相を表記しているが、収納部３Ａ、３Ｂ、３Ｃ、３Ｄに着色して色分けすることにより、対応する相の識別がより明確になるようにしてもよい。また、収納具１を布材で形成したが、プラスチックや絶縁性の金属等で形成してもよい。
【符号の説明】
【００４１】
１、１Ａ                          高圧カットアウトヒューズ筒収納具
２                                収納具本体
２ｃ                              中央孔（吊り下げ用孔）
２ｄ                              側辺孔（吊り下げ用孔）
３Ａ、３Ｂ、３Ｃ、３Ｄ            収納部
３Ａ１、３Ｂ１、３Ｃ１、３Ｄ１    収納部
４Ａ、４Ｂ                        ベルト
５Ａ、５Ｂ、５Ｃ、５Ｄ            スリット
１０                              箱型高圧カットアウト用ヒューズ
１２、１３                        接触刃
２０                              円筒型高圧カットアウト用ヒューズ
【図１】
2019212499.tif 000003
【図２】
2019212499.tif 000004
【図３】
2019212499.tif 000005
【図４】
2019212499.tif 000006
【図５】
2019212499.tif 000007
【図６】
2019212499.tif 000008